【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
露光動作に先立ち、被写体に向けてプリ発光を行うプリ発光制御手段と、
前記プリ発光制御手段によりプリ発光が行われていないときの第１のタイミングと、前記プリ発光制御手段によりプリ発光が行われているときの第２のタイミングとのそれぞれで、複数に分割された撮影画面内の各領域の被写体輝度を測光する測光手段と、
前記測光手段により第１のタイミングで測光された結果を示す第１の測光情報と、前記測光手段により第２のタイミングで測光された結果を示す第２の測光情報との比を、前記各領域のそれぞれについて演算する演算手段と、
前記演算手段により演算された各領域における比の値の中で、基準となる比の値を抽出する抽出手段と、
前記抽出手段により抽出された比の値と、前記演算手段により演算された各領域における比の値とを比較し、比較した結果に基づいて、前記各領域における評価値を算出する評価値算出手段と、
前記評価値算出手段により算出された各領域における評価値を用いて、前記各領域における第２の測光情報を評価演算し、その評価演算した結果に基づいて、前記露光動作が行われているときの発光量を演算する本発光演算手段とを有することを特徴とする撮像装置。
【請求項２】
前記抽出手段は、前記演算手段により演算された各領域における比の値を比較し、これら各領域における比の値の中で最も大きな比の値を、基準となる比の値として抽出することを特徴とする請求項１に記載の撮像装置。
【請求項３】
前記抽出手段は、前記演算手段により演算された各領域における比の値の頻度級数をとり、最大の頻度をとった比の値を、基準となる比の値として抽出することを特徴とする請求項１に記載の撮像装置。
【請求項４】
前記評価値算出手段は、前記抽出手段により抽出された比の値と、前記演算手段により演算された各領域における比の値とを比較し、比較した結果に基づいて、前記各領域における重み付け係数を演算し、
前記本発光演算手段は、前記評価値算出手段により算出された演算された各領域における重み付け係数を用いて、前記各領域における第２の測光情報の重み付け平均を算出し、算出した重み付け平均の結果に基づいて、前記露光動作が行われているときの発光量を演算することを特徴とする請求項１〜３の何れか１項に記載の撮像装置。
【請求項５】
前記本発光演算手段は、前記各領域のそれぞれについて、前記第２の測光情報と前記第１の測光情報との差分をとることで、前記プリ発光制御手段により行われたプリ発光で得られた被写体からの反射光を、前記各領域から抜き出し、その各領域から抜き出した結果を示す情報を、前記各領域における第３の測光情報とし、その第３の測光情報を用いて前記露光動作が行われているときの発光量を演算することを特徴とする請求項１〜３の何れか１項に記載の撮像装置。
【請求項６】
前記抽出手段は、前記第２の測光情報の値が、所定の範囲内にある領域の比の値から、基準となる比の値を抽出することを特徴とする請求項１に記載の撮像装置。
【請求項７】
前記抽出手段は、前記第２の測光情報と前記第１の測光情報との差分を、前記各領域のそれぞれについてとることで、前記プリ発光時における被写体からの反射光を、前記各領域から抜き出し、その各領域から抜き出した結果を示す情報を、前記各領域における第３の測光情報とし、その第３の測光情報の値が、所定の範囲内にある領域の比の値から、基準となる比の値を抽出することを特徴とする請求項１に記載の撮像装置。
【請求項８】
前記所定の範囲は、撮影レンズの焦点距離に基づいて定められることを特徴とすることを特徴とする請求項６又は７に記載の撮像装置。
【請求項９】
前記所定の範囲は、被写体までの距離情報に基づいて定められることを特徴とすることを特徴とする請求項６又は７に記載の撮像装置。
【請求項１０】
露光動作に先立ち、被写体に向けてプリ発光を行うプリ発光制御ステップと、
前記プリ発光制御ステップによりプリ発光が行われていないときの第１のタイミングと、前記プリ発光制御ステップによりプリ発光が行われているときの第２のタイミングとのそれぞれで、複数に分割された撮影画面内の各領域の被写体輝度を測光する測光ステップと、
前記測光ステップにより第１のタイミングで測光された結果を示す第１の測光情報と、前記測光ステップにより第２のタイミングで測光された結果を示す第２の測光情報との比を、前記各領域のそれぞれについて演算する演算ステップと、
前記演算ステップにより演算された各領域における比の値の中で、基準となる比の値を抽出する抽出ステップと、
前記抽出ステップにより抽出された比の値と、前記演算ステップにより演算された各領域における比の値とを比較し、比較した結果に基づいて、前記各領域における評価値を算出する評価値算出ステップと、
前記評価値算出ステップにより算出された各領域における評価値を用いて、前記各領域における第２の測光情報を評価演算し、その評価演算した結果に基づいて、前記露光動作が行われているときの発光量を演算する本発光演算ステップとを有することを特徴とする撮像方法。
【請求項１１】
前記抽出ステップは、前記演算ステップにより演算された各領域における比の値を比較し、これら各領域における比の値の中で最も大きな比の値を、基準となる比の値として抽出することを特徴とする請求項１０に記載の撮像方法。
【請求項１２】
前記抽出ステップは、前記演算ステップにより演算された各領域における比の値の頻度級数をとり、最大の頻度をとった比の値を、基準となる比の値として抽出することを特徴とする請求項１０に記載の撮像方法。
【請求項１３】
前記評価値算出ステップは、前記抽出ステップにより抽出された比の値と、前記演算ステップにより演算された各領域における比の値とを比較し、比較した結果に基づいて、前記各領域における重み付け係数を演算し、
前記本発光演算ステップは、前記評価値算出ステップにより算出された演算された各領域における重み付け係数を用いて、前記各領域における第２の測光情報の重み付け平均を算出し、算出した重み付け平均の結果に基づいて、前記露光動作が行われているときの発光量を演算することを特徴とする請求項１０〜１２の何れか１項に記載の撮像方法。
【請求項１４】
前記本発光演算ステップは、前記各領域のそれぞれについて、前記第２の測光情報と前記第１の測光情報との差分をとることで、前記プリ発光制御ステップにより行われたプリ発光で得られた被写体からの反射光を、前記各領域から抜き出し、その各領域から抜き出した結果を示す情報を、前記各領域における第３の測光情報とし、その第３の測光情報を用いて前記露光動作が行われているときの発光量を演算することを特徴とする請求項１０〜１２の何れか１項に記載の撮像方法。
【請求項１５】
前記抽出ステップは、前記第２の測光情報の値が、所定の範囲内にある領域の比の値から、基準となる比の値を抽出することを特徴とする請求項１０に記載の撮像方法。
【請求項１６】
前記抽出ステップは、前記第２の測光情報と前記第１の測光情報との差分を、前記各領域のそれぞれについてとることで、前記プリ発光時における被写体からの反射光を、前記各領域から抜き出し、その各領域から抜き出した結果を示す情報を、前記各領域における第３の測光情報とし、その第３の測光情報の値が、所定の範囲内にある領域の比の値から、基準となる比の値を抽出することを特徴とする請求項１０に記載の撮像方法。
【請求項１７】
露光動作に先立ち、被写体に向けてプリ発光を行うプリ発光制御ステップと、
前記プリ発光制御ステップによりプリ発光が行われていないときの第１のタイミングと、前記プリ発光制御ステップによりプリ発光が行われているときの第２のタイミングとのそれぞれで、複数に分割された撮影画面内の各領域の被写体輝度を測光する測光ステップと、
前記測光ステップにより第１のタイミングで測光された結果を示す第１の測光情報と、前記測光ステップにより第２のタイミングで測光された結果を示す第２の測光情報との比を、前記各領域のそれぞれについて演算する演算ステップと、
前記演算ステップにより演算された各領域における比の値の中で、基準となる比の値を抽出する抽出ステップと、
前記抽出ステップにより抽出された比の値と、前記演算ステップにより演算された各領域における比の値とを比較し、比較した結果に基づいて、前記各領域における評価値を算出する評価値算出ステップと、
前記評価値算出ステップにより算出された各領域における評価値を用いて、前記各領域における第２の測光情報を評価演算し、その評価演算した結果に基づいて、前記露光動作が行われているときの発光量を演算する本発光演算ステップとをコンピュータに実行させることを特徴とするコンピュータプログラム。
【請求項１８】
請求項１７に記載のコンピュータプログラムを記録したことを特徴とするコンピュータ読み取り可能な記録媒体。
【手続補正２】
【補正対象書類名】明細書
【補正対象項目名】０００８
【補正方法】変更
【補正の内容】
【０００８】
本発明の撮像装置は、露光動作に先立ち、被写体に向けてプリ発光を行うプリ発光制御手段と、前記プリ発光制御手段によりプリ発光が行われていないときの第１のタイミングと、前記プリ発光制御手段によりプリ発光が行われているときの第２のタイミングとのそれぞれで、複数に分割された撮影画面内の各領域の被写体輝度を測光する測光手段と、前記測光手段により第１のタイミングで測光された結果を示す第１の測光情報と、前記測光手段により第２のタイミングで測光された結果を示す第２の測光情報との比を、前記各領域のそれぞれについて演算する演算手段と、前記演算手段により演算された各領域における比の値の中で、基準となる比の値を抽出する抽出手段と、前記抽出手段により抽出された比の値と、前記演算手段により演算された各領域における比の値とを比較し、比較した結果に基づいて、前記各領域における評価値を算出する評価値算出手段と、前記評価値算出手段により算出された各領域における評価値を用いて、前記各領域における第２の測光情報を評価演算し、その評価演算した結果に基づいて、前記露光動作が行われているときの発光量を演算する本発光演算手段とを有することを特徴とする。
【手続補正３】
【補正対象書類名】明細書
【補正対象項目名】０００９
【補正方法】変更
【補正の内容】
【０００９】
本発明の撮像方法は、露光動作に先立ち、被写体に向けてプリ発光を行うプリ発光制御ステップと、前記プリ発光制御ステップによりプリ発光が行われていないときの第１のタイミングと、前記プリ発光制御ステップによりプリ発光が行われているときの第２のタイミングとのそれぞれで、複数に分割された撮影画面内の各領域の被写体輝度を測光する測光ステップと、前記測光ステップにより第１のタイミングで測光された結果を示す第１の測光情報と、前記測光ステップにより第２のタイミングで測光された結果を示す第２の測光情報との比を、前記各領域のそれぞれについて演算する演算ステップと、前記演算ステップにより演算された各領域における比の値の中で、基準となる比の値を抽出する抽出ステップと、前記抽出ステップにより抽出された比の値と、前記演算ステップにより演算された各領域における比の値とを比較し、比較した結果に基づいて、前記各領域における評価値を算出する評価値算出ステップと、前記評価値算出ステップにより算出された各領域における評価値を用いて、前記各領域における第２の測光情報を評価演算し、その評価演算した結果に基づいて、前記露光動作が行われているときの発光量を演算する本発光演算ステップとを有することを特徴とする。
【手続補正４】
【補正対象書類名】明細書
【補正対象項目名】００１０
【補正方法】変更
【補正の内容】
【００１０】
本発明のコンピュータプログラムは、露光動作に先立ち、被写体に向けてプリ発光を行うプリ発光制御ステップと、前記プリ発光制御ステップによりプリ発光が行われていないときの第１のタイミングと、前記プリ発光制御ステップによりプリ発光が行われているときの第２のタイミングとのそれぞれで、複数に分割された撮影画面内の各領域の被写体輝度を測光する測光ステップと、前記測光ステップにより第１のタイミングで測光された結果を示す第１の測光情報と、前記測光ステップにより第２のタイミングで測光された結果を示す第２の測光情報との比を、前記各領域のそれぞれについて演算する演算ステップと、前記演算ステップにより演算された各領域における比の値の中で、基準となる比の値を抽出する抽出ステップと、前記抽出ステップにより抽出された比の値と、前記演算ステップにより演算された各領域における比の値とを比較し、比較した結果に基づいて、前記各領域における評価値を算出する評価値算出ステップと、前記評価値算出ステップにより算出された各領域における評価値を用いて、前記各領域における第２の測光情報を評価演算し、その評価演算した結果に基づいて、前記露光動作が行われているときの発光量を演算する本発光演算ステップとをコンピュータに実行させることを特徴とする。
本発明のコンピュータ読み取り可能な記録媒体は、前記コンピュータプログラムを記録したことを特徴とする。
【手続補正５】
【補正対象書類名】明細書
【補正対象項目名】００１１
【補正方法】変更
【補正の内容】
【００１１】
本発明によれば、撮影画面内の主被写体が存在するエリアを可及的に適切に抽出することができる。これにより、安定した信頼性の高い適切な露光量を可及的に確実に得ることができ、撮影の失敗を可及的に防止することができる。
【手続補正６】
【補正対象書類名】明細書
【補正対象項目名】００８３
【補正方法】変更
【補正の内容】
【００８３】
基準値ｂａｓｅＲと輝度値の比Ｒ（ｉ）は、共に圧縮系の値であるので、実際には基準の距離の測光エリア（基準値ｂａｓｅＲとなる測光エリア）の輝度値と、その他の測光エリアの輝度値との比を、この前記（７式）で求めることになる。この値ＲＲ（ｉ）が小さい測光エリアは、仮定した主被写体と等価な距離に被写体があるエリアである。これに対し、この値ＲＲ（ｉ）が正に大きくなる測光エリアほど、被写体は、仮定した主被写体よりも遠くに離れていることになる。逆に、この値ＲＲ（ｉ）が負に大きくなる測光エリアほど、被写体は、仮定した主被写体よりも近くにあることになる。すなわち、この場合は、被写体が障害物であったり、ガラスからの正反射があったりしたために、前記（７式）で得られる値ＲＲ（ｉ）が異常な値を示していることになる。
【手続補正７】
【補正対象書類名】明細書
【補正対象項目名】０１０３
【補正方法】変更
【補正の内容】
【０１０３】
「抽出手段」が、各領域における比の値の中で最も大きな比の値を、基準となる比の値として抽出することは、例えば、図７のステップＳ２０７の処理で実現される。
「抽出手段」が、各領域の比の値の頻度級数をとり、最大の頻度をとった比の値を、基準となる比の値として抽出することは、例えば、図８のステップＳ３０７の処理で実現される。
「本発光演算手段」が、各領域における重み付け係数を演算し、各領域における第２の測光情報の重み付け平均を算出することは、例えば、図７のステップＳ２１０の処理で実現される。
「プリ発光時における被写体からの反射光を、各領域から抜き出す」ことは、図７のステップＳ２０３の処理で実現される。
「第３の測光情報」は、例えば、プリ発光時の反射光分のみの輝度値Ｄ（ｉ）である。
「所定の値の範囲」は、例えば、図７のステップＳ２０５の処理で求められるＬＶＬ０〜ＬＶＬ１の範囲である。また、「抽出手段」が、前記第２の測光情報の値が、所定の範囲内にある領域の比の値から、基準となる比の値を抽出することは、例えば、図７のステップＳ２０６の処理で実現される。
「所定の範囲は、撮影レンズの焦点距離に基づいて定められること」は、例えば、図７のステップＳ２０５の処理で実現される。
「所定の範囲は、被写体までの距離情報に基づいて定められること」は、例えば、図７のステップＳ２０５の処理で実現される。